(57)【特許請求の範囲】
【請求項１】
ヘッドレール（１０）内を移動可能な複数のキャリア（１２）の各々からルーバー（１４）が吊下支持され、ルーバー（１４）の下端にバランスウエイト（２０）が吊下支持される縦型ブラインドにおいて、
前記バランスウエイト（２０）は、ウエイト本体（２２）とウエイト本体（２２）を収納するバランスウエイトカバー（２４）とからなり、該バランスウエイトカバー（２４）は一対の開閉可能なカバー部（２５、２６）からなり、カバー部（２５、２６）の光遮蔽性よりもウエイト本体（２２）の光遮蔽性が高くなっており、
一方のカバー部（２６）にルーバー（１４）の下端を係止可能な係止部（２６ｂ）がカバー部（２６）を切り起こすことにより形成され、一対のカバー部（２５、２６）が閉じたときに、一対のカバー部（２５、２６）との間に保持されるウエイト本体（２２）と前記係止部（２６ｂ）とが対向するように配置され、切り起こしにより形成されるカバー部（２６）の穿孔がウエイト本体（２２）によって遮蔽されることを特徴とする縦型ブラインド。
【請求項２】
前記ウエイト本体（２２）は、他方のカバー部（２５）に形成された受け部（２５ｃ）に保持されることを特徴とする請求項１記載の縦型ブラインド。
【請求項３】
前記係止部（２６ｂ）は上下方向に複数段形成されており、その複数段のいずれかの段に選択的にルーバー（１４）の下端が係止されることを特徴とする請求項１または２記載の縦型ブラインド。
【請求項４】
前記カバー部（２５、２６）は合成樹脂製であることを特徴とする請求項１ないし３のいずれか１項に記載の縦型ブラインド。
【発明の詳細な説明】
【技術分野】
【０００１】
本発明は、ヘッドレール内を移動可能な複数のキャリアの各々からルーバーが吊下支持され、ルーバーの下端にバランスウエイトが吊下支持される縦型ブラインドに関する。
【背景技術】
【０００２】
従来、ルーバーの下端にバランスウエイトが吊下支持された縦型ブラインドとして、例えば特許文献１に記載されたものが知られている。これによれば、ルーバーの下端をバランスウエイトで挟着してルーバーでバランスウエイトを被覆するようにしている。具体的には、バランスウエイトは二つ折りに屈折してルーバー下端を挟着するケースと、鉄板からなるウエイトとからなっており、ウエイトにはルーバーを係止するために突出した係止爪が上下方向に２列形成されており、さらにケースには、該係止爪との間の干渉を避けるための孔が形成されている。そして、係止爪の先端でルーバーを引っ掛けることにより、ルーバーの下端がバランスウエイトに挟み付けられた状態から抜けなくなるようになっている。
【０００３】
【特許文献１】特開平１０−１８４２４２号公報
【発明の開示】
【発明が解決しようとする課題】
【０００４】
しかしながら、上記特許文献１に記載の縦型ブラインドでは、鉄板からなるウエイトに複数の係止爪が形成されており、係止爪はウエイトの一部を切欠いてそこを立ち上げることによって形成されるため、各係止爪の形成に伴い係止爪の近傍に穿孔が形成されることになる。よって、ウエイト自体は外部に露出することはないものの、穿孔からの光漏れが外部から透けて見えるという問題がある。特に、特許文献１の構成では、係止爪の干渉をさけるためにケースに孔が形成されており、より一層穿孔から光が漏れるようになっている。そのため穿孔部分がルーバーを通して外部から視認できて目立ち、意匠性が低下するという問題がある。
【０００５】
さらに、鉄板からなるウエイトに係止爪が形成されており、厚みのあるルーバーにも対応して確実にルーバーを引っ掛けるためには係止爪の立ち上げ高さを高くする必要があるので、その分、バランスウエイトの厚みも厚くなるという問題がある。
【０００６】
本発明はかかる問題に鑑みなされたもので、光漏れを生じさせずにルーバーの下端にバランスウエイトを取り付けることができる縦型ブラインドを提供することをその目的とする。
【課題を解決するための手段】
【０００７】
前述した目的を達成するために、請求項１記載の発明は、ヘッドレール内を移動可能な複数のキャリアの各々からルーバーが吊下支持され、ルーバーの下端にバランスウエイトが吊下支持される縦型ブラインドにおいて、
前記バランスウエイトは、ウエイト本体とウエイト本体を収納するバランスウエイトカバーとからなり、該バランスウエイトカバーは一対の開閉可能なカバー部からなり、カバー部の光遮蔽性よりもウエイト本体の光遮蔽性が高くなっており、
一方のカバー部にルーバーの下端を係止可能な係止部がカバー部を切り起こすことにより形成され、一対のカバー部が閉じたときに、一対のカバー部との間に保持されるウエイト本体と前記係止部とが対向するように配置され、切り起こしにより形成されるカバー部の穿孔がウエイト本体によって遮蔽されることを特徴とする。
【０００８】
請求項２記載の発明は、請求項１記載の前記ウエイト本体が、他方のカバー部に形成された受け部に保持されることを特徴とする。
【０００９】
請求項３記載の発明は、請求項１または２記載の前記係止部が上下方向に複数段形成されており、その複数段のいずれかの段に選択的にルーバーの下端が係止されることを特徴とする。
【００１０】
請求項４記載の発明は、請求項１ないし３のいずれか１項に記載の前記カバー部が合成樹脂製であることを特徴とする。
【発明の効果】
【００１１】
本発明によれば、カバー部に係止部を形成するのに伴う穿孔が形成されたとしても、一対のカバー部を閉じたときに、係止部が光遮蔽性の高いウエイト本体に対向してウエイト本体によって遮蔽されるために、穿孔からの光漏れの影響を小さくすることができる。よって、縦型ブラインド及びルーバー下端部の意匠性を良好にすることができる。
【００１２】
請求項２記載の発明によれば、ウエイト本体のバランスウエイトカバー内の収納位置を固定させることができて、確実にウエイト本体と係止部とを対向させることができる。
【００１３】
請求項３記載の発明によれば、上下方向に複数段形成された係止部のいずれかの段を選択することにより、ルーバーの下端のバランスウエイトカバーに対する上下位置を変更することができ、結果としてルーバーの長さ調整をすることができる。
【００１４】
請求項４記載の発明によれば、合成樹脂製のカバー部により成形性に優れたものとすることができる。また、合成樹脂製とすることによってカバー部の係止部は易変形性を持つために、カバー部が閉じられたときに、係止部はウエイト本体に押し付けられてルーバーの下端が外れないように変形することができる。また、係止部が嵩張らないように変形することができるので、バランスウエイトカバーの厚みを薄くすることもできる。
【発明を実施するための最良の形態】
【００１５】
以下、図面を用いて本発明の実施の形態を説明する。
図１は、本発明の実施形態に係る縦型ブラインドを表す斜視図である。縦型ブラインドは、窓枠等に固定されるヘッドレール１０を有しており、ヘッドレール１０内を長手方向にスライド移動可能に複数のキャリア１２が配列される。各キャリア１２には、フック１３を介してルーバー１４が吊下げられる。ヘッドレール１０から垂下される操作部の操作に基づき、ヘッドレール１０に配設されるキャリア移動機構によってキャリア１２がヘッドレール１０内を移動することができ、同様にヘッドレール１０から垂下される操作部の操作に基づき、ヘッドレール１０に配設されるルーバー回転機構によってルーバー１４が回転可能となっている。
【００１６】
このルーバー１４の下端には、ルーバー１４の直線性を保持するとともに、風等によるルーバーの跳ね上がりまたはばたつきを防止するためのバランスウエイト２０が吊下支持される。
【００１７】
バランスウエイト２０は、ウエイト本体２２と、ウエイト本体２２を収納するバランスウエイトカバー２４とからなる。バランスウエイトカバー２４は、任意の材料から構成することが可能であるが、成形性・易変形性等を考慮すると合成樹脂製が好ましい。ウエイト本体２２は、錘としての機能から鉄板といった金属板からなると好ましいが、ルーバー１４よりも高密度の任意の金属または非金属から構成することが可能である。いずれの場合であっても、ウエイト本体２２はバランスウエイトカバー２４の後述のカバー部２５、２６よりも光遮蔽性の高い材料からなる。
【００１８】
バランスウエイトカバー２４は、一対のカバー部２５、２６を備えており、これらの一対のカバー部２５、２６はヒンジ部２７を介して連結されると共にヒンジ部２７を中心にして回動することで、上下に開閉可能となっている。カバー部２５、２６は、一体品であっても別体品であってもよい。
【００１９】
カバー部２５の上端両側部には第１係止部２５ａ、２５ａが形成されており、対応するカバー部２６の上端両側部には第２係止部２６ａ、２６ａが形成されている。第１係止部２５ａと第２係止部２６ａとが係止することで、カバー部２５、２６は閉じることができ、第１係止部２５ａと第２係止部２６ａとの係止が外れることで、カバー部２５、２６は開くことができる。
【００２０】
さらにカバー部２５の上端中央部には、ルーバー１４が挿通することのできるスリット２５ｂが形成されている。さらに、カバー部２５の内面の中央部にはウエイト本体２２を収容保持するべくウエイト本体２２の板形状にほぼ一致した受け部としての凹部２５ｃが形成されており、凹部２５ｃの深さはウエイト本体２２の肉厚にほぼ対応している。また、カバー部２５の両側部には、隣り合うルーバー１４と連結されるスペーサコードが繋がるスペーサコード取付孔２５ｄが形成されるが、スペーサコード取付孔２５ｄを省略することも可能である。
【００２１】
一方、カバー部２６の内面には複数の係止片（係止部）２６ｂが横２列に並んで上下方向に複数段形成される。各段の間隔は所望のルーバー高さ最小調整幅に合わせて設定されている。係止片２６ｂはカバー部２６の一般面から切り起こされた切り起こし片となっており、よって穿孔がカバー部２６に形成されることになる。カバー部２５とカバー部２６とを閉じたときに、この係止片２６ｂの位置は凹部２５ｃに対向／対応するように、言い換えれば、凹部２５ｃに収納されるウエイト本体２２に対向／対応するようになっている。
【００２２】
また、ルーバー１４の下端には、カバー部２６の係止片２６ｂが挿入可能となった２列の係止孔１４ａが形成されている。
【００２３】
以上のように構成されるバランスウエイト２０をルーバー１４の下端に吊下支持するには、まず、図４（ａ）に示すようにカバー部２５、２６が開いた状態で、ルーバー１４の下端を、カバー部２５のスリット２５ｂに、カバー部２５の内側から外側に向けて通す。次いで、ルーバー１４をカバー部２５そしてカバー部２６の外側に這わせて、カバー部２６の下端から折り返し、カバー部２６のいずれかの段の係止片２６ｂにルーバー１４の係止孔１４ａを係止させる（図４（ｂ））。そして、カバー部２５とカバー部２６とを閉じると、バランスウエイトカバー２４はほぼ全体がルーバー１４によって覆われた状態で、ルーバー１４に吊下支持される（図４（ｃ）、図５）。
【００２４】
ルーバー１４の係止孔１４ａが係止片２６ｂに係止されるために、結果としてバランスウエイトカバー２４及びバランスウエイト２０は落下することなくルーバー１４の下端に支持される。また、複数段に形成された係止片２６ｂのいずれかの段を選択してルーバー１４の下端を係止することにより、ルーバー１４がバランスウエイトカバー２４内に収められる長さを調整することができ、結果として、ルーバー１４の長さ調整を行なうことができる。
【００２５】
このバランスウエイト２０においては、係止片２６ｂがカバー部２６に形成されているが、係止片２６ｂはウエイト本体２２と重なり合うために、係止片２６ｂの形成に伴う穿孔からの光漏れは光遮蔽性の高いウエイト本体２２によって阻止される。従って、縦型ブラインド及びルーバー１４下端部の意匠性を良好にすることができる。このために、ウエイト本体２２は、少なくとも係止片２６ｂに対向する部分には孔は形成されておらず、好ましくは全く孔が形成されていないとよい。但し、ルーバー１４への係止を補助するためのものとして適当な凹凸をウエイト本体２２に適宜形成することは可能である。カバー部２５、２６は光遮蔽性の低いものとすることができるので、カバー部２５、２６自体がルーバー１４の外から透けて見えにくくすることもできて、意匠性をより良好にすることができる。
【００２６】
さらには、係止片２６ｂの形成されるカバー部２６は合成樹脂製となっているために、係止片２６ｂは易変形性を持ち適宜弾性変形可能である。つまり、カバー部２５とカバー部２６とが閉じたときに、係止片２６ｂはウエイト本体２２に押圧されてその立ち上げ高さが小さくなるように変形する。この変形により、第１に、穿孔が係止孔２６ｂによって塞がれて小さくなるために、係止片２６ｂによる光漏れをより一層防ぐことができる。第２に、厚いルーバーに対応するべく係止片２６ｂの立ち上げ高さを大きくしたとしても、係止片２６ｂが嵩張らないように十分に小さくなるように変形するために、カバー部２５、２６の厚みは係止片２６ｂの立ち上げ高さを考慮して大きく設定する必要はなく、バランスウエイトカバー２４の厚みを薄くすることができる。第３に、係止片２６ｂはその立ち上げ高さが小さくなるように変形するために、その変形された係止片２６ｂにルーバー１４はより強固に係止されることになり、不用意にルーバー１４からバランスウエイト２０が外れることを防ぐことができる、という効果が得られる。
【図面の簡単な説明】
【００２７】
【図１】本発明の縦型ブラインドの斜視図である。
【図２】本発明のバランスウエイトの分解斜視図である。
【図３】本発明のバランスウエイトをルーバー下端に支持する状態を表す斜視図である。
【図４】本発明のバランスウエイトをルーバー下端に支持する状態を表す縦断面図である。
【図５】本発明のバランスウエイトをルーバー下端に支持する状態を表す係止片を通過する断面図である。
【符号の説明】
【００２８】
１０  ヘッドレール
１２  キャリア
１４  ルーバー
２０  バランスウエイト
２２  ウエイト本体
２４  バランスウエイトカバー
２５、２６  カバー部
２５ｃ  凹部（受け部）
２６ｂ  係止片（係止部）
【図１】
0004750578.tif 000002
【図２】
0004750578.tif 000003
【図３】
0004750578.tif 000004
【図４】
0004750578.tif 000005
【図５】
0004750578.tif 000006